(57)【要約】【課題】  コンテンツデータ出力装置において、ビデオ情報を持たないコンテンツを出力するとき、ビデオ処理部の電力消費を抑制する。【解決手段】  コンテンツデータ出力装置において、コンテンツデータがビデオデータを含むか判別する判別部と、コンテンツデータをビデオデータとオーディオデータに分離する分離部と、ビデオデータを処理するビデオ処理部と、オーディオデータを処理するオーディオ処理部と、ビデオ処理部の電源スイッチの制御の可否を設定する設定部と、判別部の判別結果と設定部の設定値によりビデオ処理部の電源スイッチの制御の可否を決定する出力モード決定部と、ビデオ出力要求を入力する要求入力部と、要求入力によりビデオ処理部の電源スイッチをオンにするビデオ処理復帰部と、出力モード決定部とビデオ処理復帰部の情報によりビデオ処理部の電源スイッチを制御する電源制御部を備える。【選択図】      図１
2009089108.tif 000002
【特許請求の範囲】
【請求項１】
入力されたコンテンツデータがビデオデータを含むか否か判別する判別部と、
前記判別部が判別したコンテンツデータをビデオデータとオーディオデータに分離する分離部と、
前記分離部が分離したビデオデータを処理し出力するビデオ処理部と、
前記分離部が分離したオーディオデータを処理し出力するオーディオ処理部と、
前記ビデオ処理部の電源スイッチの制御を許可するか否かを設定する設定部と、
前記判別部の判別結果と前記設定部の設定値によって前記ビデオ処理部の電源スイッチを制御するか否かを決定する出力モード決定部と、
ビデオ出力要求を入力する要求入力部と、
前記要求入力部の入力と前記ビデオ処理部の電源スイッチの状態に応じて前記ビデオ処理部の電源スイッチをオンにするビデオ処理復帰部と、
前記出力モード決定部及び前記ビデオ処理復帰部からの情報信号に基づいて前記ビデオ処理部の電源スイッチの切換えを制御する電源制御部と
を備えることを特徴とするコンテンツデータ出力装置。
【請求項２】
請求項１に記載のコンテンツデータ出力装置であって、
前記設定部は、前記電源制御部がコンテンツデータに応じて処理を行うか否かを設定し、
前記出力モード決定部は、前記設定部の設定値によってコンテンツデータに応じて電源スイッチを制御するか否かを決定し、
前記ビデオ処理復帰部は、前記ビデオ処理部の電源スイッチがオフの状態であって前記要求入力部の入力があったとき、前記ビデオ処理部の電源スイッチを一時的にオンにする
ことを特徴とするコンテンツデータ出力装置。
【発明の詳細な説明】
【技術分野】
【０００１】
本発明は、ビデオデータ、オーディオデータを含むコンテンツデータの再生、信号処理等を行って出力するコンテンツデータ出力装置に関する。
【背景技術】
【０００２】
従来から、光ディスクや外部ストレージに記憶されたビデオ及びオーディオのコンテンツデータを再生する再生装置がある。このような再生装置において、記憶されているコンテンツがビデオ情報を含まない場合、映像表示機器の電源をオフにすることによって、再生装置の消費電力を抑制する機能を備えたものがあった（特許文献１、特許文献２参照）。
【０００３】
【特許文献１】特開平０８−０８７８２３号公報
【特許文献２】特開２００７−０８１７６４号公報
【発明の開示】
【発明が解決しようとする課題】
【０００４】
特許文献１、特許文献２に開示された装置では、コンテンツがビデオ情報を持たない場合、映像表示回路の電源はオフにされるが、ビデオ処理を行う回路の電源はオフにされず動作しているため、ビデオ出力が必要ない場合であっても、無駄に電力を消費していた。
【０００５】
更に、特許文献２に開示された装置では、ユーザーによって光ディスクや外部ストレージに作成されたフォルダ階層を持つオーディオコンテンツでは、映像表示回路の電源がオフにされるため、そのとき、ユーザーはフォルダ階層を確認するために表示を見ることができない。したがって、電源がオフされる前などに、ユーザーは現在の再生位置を把握しておかなければならなかったが、大容量化が進むディスクや外部ストレージの内部に構成されるフォルダに配置されるオーディオコンテンツに対しては、このような対応方法は現実的ではない。
【０００６】
本発明の目的は、コンテンツデータ出力装置において、コンテンツデータがビデオ情報を持たない場合、ビデオ処理部の電源をオフにして電力の消費を抑制し、フォルダ構造などのコンテンツ情報の表示を必要とするときには、ユーザーからの要求に応じてビデオ処理部の電源を制御できるようにした装置を提供することにある。
【課題を解決するための手段】
【０００７】
本発明に係るコンテンツデータ出力装置は、入力されたコンテンツデータがビデオデータを含むか否か判別する判別部と、前記判別部が判別したコンテンツデータをビデオデータとオーディオデータに分離する分離部と、前記分離部が分離したビデオデータを処理し出力するビデオ処理部と、前記分離部が分離したオーディオデータを処理し出力するオーディオ処理部と、前記ビデオ処理部の電源スイッチの制御を許可するか否かを設定する設定部と、前記判別部の判別結果と前記設定部の設定値によって前記ビデオ処理部の電源スイッチを制御するか否かを決定する出力モード決定部と、ビデオ出力要求を入力する要求入力部と、前記要求入力部の入力と前記ビデオ処理部の電源スイッチの状態に応じて前記ビデオ処理部の電源スイッチをオンにするビデオ処理復帰部と、前記出力モード決定部及び前記ビデオ処理復帰部からの情報信号に基づいて前記ビデオ処理部の電源スイッチの切換えを制御する電源制御部とを備えるものである。
【０００８】
また、本発明に係るコンテンツデータ出力装置は、前記設定部は前記電源制御部がコンテンツデータに応じて処理を行うか否かを設定し、前記出力モード決定部は前記設定部の設定値によってコンテンツデータに応じて電源スイッチを制御するか否かを決定し、前記ビデオ処理復帰部は前記ビデオ処理部の電源スイッチがオフの状態であって前記要求入力部の入力があったとき前記ビデオ処理部の電源スイッチを一時的にオンにするものである。
【発明の効果】
【０００９】
本発明のコンテンツデータ出力装置によれば、ビデオデータを含まないコンテンツデータを出力するとき、ビデオ処理部の電力消費を抑制することができる。
また、本発明のコンテンツデータ出力装置によれば、ビデオデータを含まないコンテンツデータを出力している場合であっても、フォルダ構造などのコンテンツ情報の表示を要するとき、ユーザーからの要求に応じてビデオ処理部の電源を一時的にオンにすることができる。
【発明を実施するための最良の形態】
【００１０】
図２は、本発明のコンテンツデータ出力装置の使用形態の一例を示すブロック図である。
コンテンツデータ出力装置１０１は、光ディスク、ハードディスク等の外部記憶装置１０４に記憶され再生された、ビデオデータ、オーディオデータを含むコンテンツデータを入力し、信号処理等を行って、表示機器１０２及びスピーカ１０３に出力する。
表示機器１０２は、テレビやビデオモニタなどの表示機器であり、コンテンツデータ出力装置１０１から出力されたビデオデータを映像として表示する。
スピーカ１０３は、複数のスピーカを有し、コンテンツデータ出力装置１０１が出力したオーディオデータを音として出力する。
【００１１】
図１は、本発明のコンテンツデータ出力装置１０１の一実施例の構成を示すブロック図である。
入力部１は、外部記憶装置１０４から入力された、コンテンツデータ、ファイル情報、及びフォルダ構造情報を取得する。
判別部２は、入力部１が取得したファイル情報に基づいて、コンテンツデータがビデオデータを含むか否かを判別し、コンテンツデータがビデオデータを含むと判別した場合、その判別結果を出力する。
【００１２】
設定部３は、予めビデオ処理部９の電源スイッチの制御を許可するか否かを示す設定値を記憶している。設定部３の設定値は、ユーザーが操作して設定することができる。
出力モード決定部４は、判別部２から判別結果が入力され、かつ設定部３の設定値が電源スイッチの制御を許可しているとき、ビデオ処理部９の電源スイッチをオフするための信号を出力する。
要求入力部５は、フォルダ構造の表示を要求する入力機能を備え、ユーザーによって要求入力操作があった場合、フォルダ構造の表示要求信号を出力する。
【００１３】
ビデオ処理復帰部６は、要求入力部４からの表示要求信号の入力があって、ビデオ処理部９の電源スイッチがオフであるとき、ビデオ処理部９の電源スイッチを一時的にオンにさせるための信号を出力する。
電源制御部７は、出力モード決定部４からのビデオ処理部９の電源スイッチをオフするための信号の入力、ビデオ処理復帰部６からのビデオ処理部９の電源スイッチを一時的にオンさせるための信号の入力に基づいて、ビデオ処理部９の電源スイッチをオンにした後、電源制御部７に予め設定された時間経過後に、電源スイッチをオフにする。
また、電源制御部７は、ビデオ処理復帰部６から、ビデオ処理部９の電源スイッチの状態を要求されたとき、ビデオ処理部９の電源スイッチの状態情報をビデオ処理復帰部６に出力する。
【００１４】
分離部８は、入力部１が取得したコンテンツデータをビデオデータとオーディオデータに分離する。ビデオ処理部９は、分離部８が分離したビデオデータをデコードし、又はそのままビットストリームデータとして、ビデオ出力部１０を介して、外部の表示機器１０２に出力する。
オーディオ処理部１１は、分離部８が分離したオーディオデータをデコードし、又はそのままビットストリームデータとして、オーディオ出力部１２を介して、外部のスピーカ１０３に出力する。
【００１５】
本実施形態のコンテンツデータ出力装置によれば、ビデオデータを含まないコンテンツデータを出力するとき、ビデオ処理部の電力消費を抑制することができる。また、本実施形態のコンテンツデータ出力装置によれば、ビデオデータを含まないコンテンツデータを出力している場合、ユーザーからの要求に応じてビデオ処理部の電源を一時的にオンにしてフォルダ構造を表示することができる。
【図面の簡単な説明】
【００１６】
【図１】本発明のコンテンツデータ出力装置の一実施例の構成を示すブロック図である。
【図２】本発明のコンテンツデータ出力装置の使用形態の一例を示すブロック図である。
【符号の説明】
【００１７】
１  入力部
２  判別部
３  設定部
４  出力モード決定部
５  要求入力部
６  ビデオ処理復帰部
７  電源制御部
８  分離部
９  ビデオ処理部
１０  オーディオ処理部
１１  ビデオ出力部
１２  オーディオ出力部
【図１】
2009089108.tif 000003
【図２】
2009089108.tif 000004